(57)【要約】      （修正有） 【課題】不使用時での携帯や収納が従来より簡便なランドセルカバーの提供。【解決手段】背負面を除くランドセルの表面を覆うための袋状本体２を備え、該本体の開口周縁がゴムギャザー３により伸縮自在であるランドセルカバー１において、袋状本体は、ランドセルに被せられた使用状態にて外側に露出する表面の予め定められた領域に、その周縁で縫い付けられて前記表面との間に袋部４を形成する布部材５を備え、袋部は、内外面を裏返すことができる開口部を有すると共に、該袋部の内外面を裏返した状態で内部に前記袋状本体を収納する収納部１０を形成するものであり、前記開口部は、使用状態における袋部と裏返し状態における収納部とを開閉可能に閉じる開閉手段１１を備えたものとした。【選択図】図１
0003108977.tif 000002
【実用新案登録請求の範囲】
【請求項１】
背負面を除くランドセルの表面を覆うための袋状本体を備え、該本体の開口周縁に形成されたゴムギャザーにより該開口周縁が伸縮自在であるランドセルカバーにおいて、
前記袋状本体は、ランドセルに被せられた使用状態にて外側に露出する表面の予め定められた領域に、その周縁で縫い付けられて前記表面との間に袋部を形成する布部材を備え、
前記袋部は、内外面を裏返すことができる開口部を有すると共に、該袋部の内外面を裏返した状態で内部に前記袋状本体を収納する収納部を形成するものであり、
前記開口部は、使用状態における袋部と裏返し状態における収納部とを開閉可能に閉じることのできる開閉手段を備えていることを特徴とするランドセルカバー。
【請求項２】
前記開閉手段が、表面側と裏面側の両側からスライダーをスライドできる引き手部を備えたスライドファスナーであることを特徴とする請求項１に記載のランドセルカバー。
【考案の詳細な説明】
【技術分野】
【０００１】
本考案は、例えば雨の際に、ランドセルを覆うカバーに関するものである。
【背景技術】
【０００２】
従来から、雨の際にランドセルが濡れないようにランドセル表面を覆うためのランドセルカバーは広く利用されている。このようなカバーとしては、背負面を除くランドセル表面を全体的に覆うように被せられる袋状のカバーが簡便なものとして挙げられる。
【０００３】
通常、このような袋状のランドセルカバーは、開口周縁にゴムギャザーを設けて伸縮自在にすることによって、ランドセルへの装着、取り外しを容易にしたものである（例えば、特許文献１参照。）
【０００４】
【特許文献１】特開２００１−２５８６２７号公報
【考案の開示】
【考案が解決しようとする課題】
【０００５】
しかしながら、上記のようなランドセルカバーは、不使用時には嵩張って携帯や収納に不便であった。
【０００６】
本考案の目的は、上記問題点に鑑み、不使用時での携帯や収納が従来より簡便なランドセルカバーを提供することにある。
【課題を解決するための手段】
【０００７】
上記目的を達成するため、請求項１に記載の考案に係るランドセルカバーは、背負面を除くランドセルの表面を覆うための袋状本体を備え、該本体の開口周縁に形成されたゴムギャザーにより該開口周縁が伸縮自在であるランドセルカバーにおいて、前記袋状本体は、ランドセルに被せられた使用状態にて外側に露出する表面の予め定められた領域に、その周縁で縫い付けられて前記表面との間に袋部を形成する布部材を備え、前記袋部は、内外面を裏返すことができる開口部を有すると共に、該袋部の内外面を裏返した状態で内部に前記袋状本体を収納する収納部を形成するものであり、前記開口部は、使用状態における袋部と裏返し状態における収納部とを開閉可能に閉じることのできる開閉手段を備えているものである。
【０００８】
また、請求項２に記載の考案に係るランドセルカバーは、請求項１に記載のランドセルカバーにおいて、前記開閉手段が、表面側と裏面側の両側からスライダーをスライドできる引き手部を備えたスライドファスナーであることを特徴とするものである。
【考案の効果】
【０００９】
本考案においては、ランドセルカバーを構成する袋状本体の表面に、内外面を裏返して本体を収納する収納部にすることのできる袋部を設けたものであるため、この袋部はランドセルに被せた使用状態ではポシェットとして利用できると共に、不使用時には該袋部を裏返すことによって本体を収めてコンパクトにまとめる収納部として利用することができるものであり、この二つの機能を併せ持つことによって非常に効率的でありながら携帯に便利なランドセルカバーが提供できるという効果がある。
【考案を実施するための最良の形態】
【００１０】
本考案は、背負面を除くランドセルの表面を覆うための袋状本体を備え、該本体の開口周縁に形成されたゴムギャザーにより該開口周縁が伸縮自在であるランドセルカバーであり、袋状本体は、ランドセルに被せられた使用状態にて外側に露出する表面の予め定められた領域に、その周縁で縫い付けられて前記表面との間に袋部を形成する布部材を備えたものである。
【００１１】
さらに袋部は、内外面を裏返すことができる開口部を有すると共に、該袋部の内外面を裏返した状態で内部に袋状本体を収納する収納部を形成するものであり、開口部は、使用状態における袋部と裏返し状態における収納部とを開閉可能に閉じることのできる開閉手段を備えている。
【００１２】
従って、本考案によるランドセルカバーにおいては、ランドセル表面を覆う使用状態での袋部も、袋部を裏返して形成される収納部も、開閉手段によって開閉可能に閉じることができるため、使用状態では前記袋部をポシェットとして利用することができると共に、不使用時には袋部を裏返してなる収納部内に本体を収納することによってコンパクトにまとめることができるため、ランドセル内に入れておいたりぶら下げたりなど携帯に便利であると共に、自宅で仕舞う際の占有空間も小さくて済む。
【００１３】
また、本考案における開口部を開閉可能に閉じるための開閉手段としては、使用状態と収納状態との双方で開口部を開閉できるものであれば広く利用できる。たとえば、スライドファスナーや面ファスナー、スナップファスナー、ボタンやホックを用いたものなど、布部材に貼付したり縫いつけたりできるものが広く利用できる。これらのうちスライドファスナーは、開閉が容易であると共に開口部全幅に亘って確実に閉じることができるので、嵩張る本体を収納部に押し込んだ際でも開口部から飛び出すことなく収めることができ、好適である。
【００１４】
このようなスライドファスナーを用いる場合、使用状態における袋部の開口部開閉と裏返し状態における収納部の開口部開閉のどちらもできるように、表面側と裏面側の両側からスライダーをスライドできる引き手部を備えたものとする。例えば、開口部ファスナーの使用状態にて外側に露呈するスライダー表面に引き手部を設けるだけでなく、裏返し状態では表側となるこの使用状態におけるスライダー裏面にも引き手部を設けておけば良い。あるいは、一つの引き手部材をスライダーの表面側から裏面側に掛けて跨る連結リング部を介して表裏両側に回動可能に装着する機構でも良い。
【００１５】
また、本考案のランドセルカバーの素材としては、ポリエステルやナイロン、またビニールなど、従来から用いられている軽量で安価な布素材でよく、雨用に撥水加工を施したもや防水性の素材とすることが望ましい。
【００１６】
なお、袋部となる布部材の縫い付け位置は、ランドセルに被せられた使用状態において、外側表面に出る部分であれば、ランドセルの蓋体領域や、側面領域など、いずれの領域でもよく、特に限定するものではない。
【実施例】
【００１７】
本考案の一実施例として、使用状態におけるランドセル蓋体領域に袋部が設けられ、開口部の開閉手段としてスライドファスナーを用いた場合のランドセルカバーを図１、２に示す。図１（ａ）は使用する際の状態図、（ｂ）は収納途中の状態図、（ｃ）は収納状態図である。図２は、本ランドセルカバーをランドセルに被せた使用状態を示す模式図である。
【００１８】
本ランドセルカバー１は、図１（ａ）に示すように、肩掛けベルトが取り付けられた背負面を除くランドセルの表面を覆うための袋状本体２と、図２に示すようなランドセルに被せた使用状態において外側に露出する表面上のランドセル蓋体領域に周縁で縫いつけられた布部材５により本体表面との間に形成される袋部４とから主に構成されている。
【００１９】
この袋状本体２の開口周縁はゴムギャザー３によって伸縮自在となっており、ランドセルへの装着、取り外しが容易に行えるものである。また、布部材５には、襠部分５ｘを設けて袋部４に厚みを出しており、さらにこの袋部４の開口部はスライドファスナー７により開閉可能となっている。従って、ランドセル装着の使用状態においては、この袋部４をポシェットとして利用することができ、ファスナー７で閉じることによって袋内に入れたものを落とすことなく保持することができる。
【００２０】
このファスナー７は、引き手部材８ｘを引っ張ってスライダー９をスライドさせることによって開閉されるものであるが、この使用状態におけるスライダー９の裏面側にも引き手部材８ｙが取り付けてある。
【００２１】
また、袋部４は、図１（ｂ）に示すように開口部により内外面を裏返すことができ、この裏返し状態にて袋部４の内面６が収納部外面になり、袋状本体２を内部に収納する収納部１０とすることができる。この収納状態においては、収納部１０の内面が袋状本体２の使用時外表面部分であるため、袋部４を裏返しただけの状態で既に本体２の一部が収納部内に入れられた状態となる。従って、残りの部分を更に収納部１０内に折り畳んで入れ、表側に出てきた引き手部材８ｙを引っ張ってスライダー９をスライドさせるだけで、袋状本体２の収納が完了する（図１（ｃ））。
【００２２】
このような収納部１０に収納された状態にあるランドセルカバーは、コンパクトにまとまっており、ランドセル内に入れて持ち歩いたり、図３に示すように引き手部材８ｙにヒモ１１を結びつけてランドセルにぶら下げるなど、携帯に便利である。
【００２３】
さらに、このような収納状態から、雨が降ってきた際に使用する場合には、上記手順とは逆に、引き手部材８ｙを引っ張ってスライダー９をスライドさせてファスナー７を開け、内部から袋状本体２を引っ張り出し、収納部１０を裏返すだけでランドセルへの装着可能状態となる。
【００２４】
なお、上記実施例においては、使用状態においては袋部４がランドセル蓋体領域に来るように布部材５を袋状本体２に縫い付けた場合を示したが、本考案のランドセルカバーにおいては、この位置に限定されるものではなく、例えば、使用状態でランドセル側面に袋部４が来る位置に縫いつけても良い。また、袋部４の形状、大きさも特に限定されるものでれるものではなく、様々なデザイン性を持たせたものにすることが可能である。
【図面の簡単な説明】
【００２５】
【図１】本考案の一実施例によるランドセルカバーの概略構成図であり、（ａ）は使用する際の状態図、（ｂ）は収納途中の状態図、（ｃ）は収納状態図である。
【図２】本実施例によるランドセルカバーをランドセルに被せた使用状態を示す模式図であり、（ａ）はランドセルを背負った状態での背面図、（ｂ）は側面図である。
【図３】本実施例によるランドセルカバーを収納状態で携帯する一例を示す状態図である。
【符号の説明】
【００２６】
１：ランドセルカバー
２：袋状本体
３：開口周縁ゴムギャザー
４：袋部
５：布部材
５ｘ：襠部分
６：袋部内面（収納部外面）
７：スライドファスナー
８ｘ，８ｙ：引き手部
９：スライダー
１０：収納部
１１：ヒモ
２０：ランドセル
【図１】
0003108977.tif 000003
【図２】
0003108977.tif 000004
【図３】
0003108977.tif 000005